(57)【要約】【課題】ハウジングの上部に収納された電装部品を空冷することができるショーケース装置を提供する。【解決手段】ショーケース装置は、透光性の壁１５および１６を有し、内部に商品を陳列可能なハウジング１０と、ハウジング１０の上部に、表示面を兼ねる操作部２０３ａが後方を向くように収納された電装部品２０１と、電装部品２０１の収納スペース２００に連通し、後方を向いた吸込み口８１ａと、吸込み口８１ａから吸込まれた空気を、収納スペース２００を介してハウジング１０の下方に導く排気ダクト８０とを有する。排気ダクト８０は、透光性の壁１５および１６の縁の一部に沿って延びたフレーム１０２ａおよび１０１ａに沿って設けられている。【選択図】図６
2008113870.tif 000002
【特許請求の範囲】
【請求項１】
透光性の壁を有し、内部に商品を陳列可能な陳列室を含むハウジングと、
前記ハウジングの上部に、操作部および／または表示面が後方を向くように収納された電装部品と、
前記電装部品の収納スペースに連通し、後方を向いた吸込み口と、
前記吸込み口から吸込まれた空気を、前記収納スペースを介して前記ハウジングの下方に導く排気ダクトであって、前記透光性の壁の縁の少なくとも一部に沿って延びたフレーム内またはこのフレームに沿って設けられた排気ダクトとを有するショーケース装置。
【請求項２】
請求項１において、前記排気ダクトの前記ハウジングの前記陳列室内に向いた隔壁の少なくとも一部は透光性であり、前記排気ダクトに発光体が収納されている、ショーケース装置。
【請求項３】
請求項２において、前記排気ダクトの内、少なくとも前記発光体が収納されている部分は、前記ハウジングの外側から分解可能である、ショーケース装置。
【請求項４】
請求項１において、前記ハウジングの前記陳列室の下側に配置された保冷庫と、この保冷庫を冷却するための冷却ユニットとを有し、
前記排気ダクトは、前記冷却ユニットに含まれるファンの吸込み側に連通している、ショーケース装置。
【請求項５】
請求項１において、前記ハウジングの前記陳列室の下側に配置され、前記ハウジングの前記陳列室内を空調するための空調ユニットを有し、
前記排気ダクトは、前記空調ユニットに含まれるファンの吸込み側に連通している、ショーケース装置。
【発明の詳細な説明】
【技術分野】
【０００１】
本発明は、食料品や飲料缶などの商品を陳列することができるショーケース装置に関するものである。
【背景技術】
【０００２】
特許文献１には、加熱調理品を収納して一定温度及び一定湿度で保管するドライ室とウェット室とが仕切られて併設され、少なくとも一方の室内に加温風を循環させて他方の室内への伝熱を行ってドライ室およびウェット室の保温および保湿を行う収納装置（ショーケース）が開示されている。この収納装置では、ドライ室およびウェット室よりも下側にある調理台の一部にコントロールパネルが設けられている。
【０００３】
また、特許文献２には、上部に陳列室を備え、下部にコンデンシングユニットを内蔵して成る対面式低温ショーケースが開示されている。この対面式低温ショーケースでは、コンデンシングユニットの低部位に対応して、コンデンシングユニット以外の電装部品が配置されている。
【特許文献１】特開２００５−１１１２５１号公報
【特許文献２】特開２００４−２７１０７７号公報
【発明の開示】
【発明が解決しようとする課題】
【０００４】
特許文献１および２に記載されているショーケースは、いずれも、商品を収納する室（ドライ室、ウェット室、陳列室）の下側に、コントロールパネルなどの電装部品が配置されている。このため、電装部品が見えにくく、操作もしにくい。
【０００５】
電装部品の操作部および／または表示面がショーケースのハウジングの上部に現れるショーケース装置が望まれているが、冷却に問題がある。すなわち、電装部品は、一般的に発熱体であるため、冷却することが好ましい。電装部品を冷却する方法としては、たとえば、電装部品の収納スペースと連通するように、ショーケース装置のハウジングに空気の吸込口および吐出口を形成し、ファンなどで空気を流通させる方法が考えられる。しかしながら、電装部品の操作部および／または表示面がショーケース装置のハウジングの上部に現れるようにした場合、一般に、吸込口および吐出口の少なくとも一方は、ハウジングの前部上側、側部上側、または天井に設けられることとなり、以下のような不都合が生じるおそれがある。
【０００６】
通常、顧客は、ハウジングの前方からショーケース装置の室内に陳列された商品を見て購入する商品を選択するため、ハウジングの前部や側部に吸込口または吐出口が現れると、これらの開口が顧客の目に入りやすい。したがって、ショーケースとしての見栄えがよくない。まして、それが吐出口であると、顧客に向かって温風が吹き出すおそれがあり、好ましくない。
【０００７】
天井に吸込口または吐出口を設けた場合、天井に商品や荷物などを不用意に置き、これらの開口を塞いでしまうおそれがある。また、天井に飲物などの液体を置き、これをこぼしてしまうようなことがあると、電装部品の故障の原因となる。
【課題を解決するための手段】
【０００８】
本発明の一態様は、透光性の壁を有し、内部に商品を陳列可能な陳列室を含むハウジングと、ハウジングの上部に、操作部および／または表示面が後方を向くように収納された電装部品と、電装部品の収納スペースに連通し、後方を向いた吸込み口と、吸込み口から吸込まれた空気を、収納スペースを介してハウジングの下方に導く排気ダクト（排熱経路）であって、透光性の壁の縁の少なくとも一部に沿って延びたフレーム内またはこのフレームに沿って設けられた排気ダクトとを有するショーケース装置である。
【０００９】
このショーケース装置によれば、ハウジングの上部に、操作部および／または表示面が後方を向くように電装部品が収納されている。このため、電装部品の操作部および／または表示面が見えやすく、操作も容易である。また、このショーケース装置は、後方を向いた吸込み口と、この吸込み口から吸込まれた空気を電装部品の収納スペースを介してハウジングの下方に導く排気ダクトとを有している。このため、発熱体である電装部品を空冷し、その性能を良好に維持することができる。
【００１０】
しかも、このショーケース装置によれば、排気ダクトは、透光性の壁の縁の少なくとも一部に沿って延びたフレーム内またはこのフレームに沿って設けられ、排気ダクトに空気を流通させるための吸込み口が後方を向いている。このため、ハウジングの前方からショーケース装置の陳列室内に陳列された商品を見て購入する商品を選択する顧客からは吸込み口が見えにくく、さらに、排気ダクト自体も、透光性の壁をサポートするためのフレームと一体化して見えるので、ショーケースとしての機能を阻害し難い。したがって、ショーケースとしての見栄えがよく、透光性の壁を通して陳列された商品が見やすい。さらに、このショーケース装置によれば、電装部品により生じた排熱は、排気ダクトを介して、ハウジングの下側に導かれるため、顧客や店員に向かって温風が吹き出すこともない。
【００１１】
すなわち、ショーケース装置としては、ハウジングの少なくとも一部に透光性の壁を設けることは重要である。このショーケース装置によれば、フレーム内またはこのフレームに沿って排気ダクトを設けているため、顧客がハウジングの陳列室内に収納された商品を見る際の邪魔になりにくい。また、排気ダクトをフレーム内に設けた場合、顧客には、外見からは排気ダクトが設けられていることが判らず、あたかも、透光性の壁（窓、ドア）に額（窓枠、ドアの枠）が設けられているだけのように見える。したがって、デザイン性が良好である。
【００１２】
したがって、このショーケース装置によれば、顧客は、外界側から、透光性の壁を介して、ハウジングの陳列室内に収納された商品を見て購入する商品を選択しやすい。このショーケース装置においては、少なくとも前壁を透光性の壁とすることが望ましい。顧客は、前側からショーケースに陳列された商品を見て購入する商品を選択することができる。前側が透光性の壁である場合、後側はドアであることが好ましい。前側が透光性の壁である場合、後側は開放していてもよい。
【００１３】
このショーケース装置は、前側の透光性の壁が開閉されるタイプのショーケース装置であってもよい。また、このショーケース装置は、前側が開放しているオープンタイプのショーケース装置であってもよい。側壁および／または後壁が透光性の壁であっても、排気ダクトはフレームと一体またはそのように見えるので目立たず、顧客および／または店員は、前方だけでなく側方および／または後方からも、ショーケースに陳列された商品が見やすい。なお、前側や後側が開放しているショーケース装置とする場合、開放している部分にエアーカーテンを形成することが好ましい。
【００１４】
ところで、ショーケース装置では、上述のように、顧客は、一般的には、外界側から、透光性の壁を介して、ハウジングの陳列室内の商品を見て購入する商品を選択する。したがって、室内は明るいことが好ましい。しかしながら、ショーケース装置が陳列室内を温蔵状態に保つ温蔵ショーケース装置である場合、ヒータで温められた空気が循環しているような室内に発光体（照明手段）を設けるためには、絶縁不良を抑制するためにキセノンランプなどの高価な発光体を用いなければならない。また、ハウジングの室内に発光体を取り付けておくと、発光体が切れたときに、その交換が面倒である。さらに、ハウジングの室内のように、顧客の視野に入る場所に発光体を設けることは、外観上・デザイン上、あまり好ましいことではない。また、発光体から発せられる光が直接顧客の目に入ると、まぶし過ぎる可能性もある。
【００１５】
このショーケース装置によれば、排気ダクトのハウジングの陳列室内に向いた隔壁の少なくとも一部を透光性とし、排気ダクトに発光体を収納することが好ましい。隔壁の少なくとも一部（透光性の部分）を介して、発光体から発せられた光をハウジングの陳列室内に導き、ハウジングの陳列室内を照明できる。しかも、排気ダクトの外側を遮光性とすることにより、発光体から発せられた光は、直接顧客の目に入りにくい。特に、排気ダクトがフレーム内に設けられている場合、陳列室内の商品を見る顧客からは、発光体は目隠しされ、あたかも、透光性の壁に額が設けられているだけのように見える。したがって、デザイン性が良好である。
【００１６】
発光体は、この発光体から発せられた光が、隔壁の少なくとも一部（透光性の部分）を介してハウジングの陳列室内に直接的または間接的に導かれるような位置に設ければよい。たとえば、発光体は、隔壁の少なくとも一部である透光性の部分と対向するように設けることができる。また、発光体として、たとえば、直管状の蛍光灯を採用することができる。蛍光灯は、キセノンランプなどと比べて安価であり、取り扱いや入手も簡単である。なお、発光体としては、蛍光灯に限らず、キセノンランプやＬＥＤなどを用いても良い。
【００１７】
排気ダクトのハウジングの陳列室内に向いた隔壁の少なくとも一部を透光性とし、排気ダクトに発光体を収納する場合、排気ダクト内の少なくとも発光体が収納されている部分が、ハウジングの外側から分解可能であることが好ましい。このようにすることにより、ハウジングの外側から発光体にアクセスできるようになるため、発光体のメンテナンスを容易に行うことができる。
【００１８】
また、排気ダクトのハウジングの陳列室内に向いた隔壁の少なくとも一部を透光性とし、排気ダクトに発光体を収納する場合には、隔壁の少なくとも一部は、発光体の少なくとも一部を収納するように、溝状になっていることが好ましい。隔壁の少なくとも一部を溝状とすることにより、ハウジングの陳列室内側に発光体の配置場所を確保することができる。すなわち、隔壁の少なくとも一部を溝状とすることにより、発光体が収納されている部分が外側に張り出すのを抑制できる。透光性の壁と発光体が収納されている部分とを実質的に面一とし、スムーズで一体的な外観を備えたショーケース装置を提供できる。
【００１９】
このショーケース装置が、ハウジングの陳列室よりも下側に配置された保冷庫と、この保冷庫内を冷却するための冷却ユニットとを有する場合、排気ダクトは、冷却ユニットに含まれるファンの吸込み側に連通していることが好ましい。冷却ユニットに含まれるファンの吸込み圧により、排気ダクトを介して吸込み口から吸引し、排気ダクト内を強制的に換気できる。その結果、排気ダクトを介して電装部品を冷却できる。冷却ユニットに含まれるファンの一例は、排熱を促進するための排熱ファンである。冷却ユニットに含まれるファンが排熱ファンである場合、この排熱ファンにより、排気ダクト内の排熱を冷却ユニットから発生した排熱とともに、強制的に外部に排出することができる。
【００２０】
このショーケース装置が、ハウジングの陳列室の下側に配置され、ハウジングの陳列室内を空調するための空調ユニットを有する場合、排気ダクトは、空調ユニットに含まれるファンの吸込み側に連通することにより、上記と同様に排気ダクト内を強制的に換気できる。
【発明を実施するための最良の形態】
【００２１】
以下に、図面を参照して本発明の実施形態について説明する。図１に、本発明の一実施形態にかかるショーケース装置を前側から見た斜視図により示している。図２に、図１のショーケース装置を後側から見た斜視図により示している。図３に、図１のショーケースの概略構成を縦断面図により示している。
【００２２】
本例のショーケース装置１は、コンビニエンスストアなどの店舗において、加熱調理された食品を商品として陳列および販売するのに好適な装置あるいはユニットであり、商品を陳列するショーケースとしての機能と、商品を保温する装置としての機能とを兼ね備えている。なお、本例では、商品を温蔵するショーケース装置を例にとって説明するが、ショーケース装置は、商品を冷蔵するタイプのショーケース装置、あるいは、冷蔵および温蔵するタイプのショーケース装置であってもよい。
【００２３】
このショーケース装置１は、全体が店員の身長程度あるいはそれよりも若干低い程度（１２０ｃｍ〜１５０ｃｍ）の高さのユニット（アッセンブリ）であり、幾つかの機能あるいは構成部分が、一体の装置あるいは家具あるいはキャビネット状に組み合わされ、あるいは組み立てられている。
【００２４】
このショーケース装置１は、第１室１１およびこの第１室１１の中に配置された第２室１２を含む陳列室（収納室、ショーケース）１３と、この陳列室１３の下方に配置された空調ユニットとしての温風供給ユニット３０と、陳列室１３の下方に温風供給ユニット３０と並んで、温風供給ユニット３０の後方に配置された保冷庫５０と、温風供給ユニット３０の下方に配置された冷却ユニット６０とを含む。
【００２５】
また、ショーケース装置１は、全体が垂直方向に長い箱型であって、内部（陳列室１３）に商品を陳列可能なハウジング（筐体）１０を有している。ハウジング１０は、店舗内に設置したときに店舗の天井に向く上壁１０ａと、床に向く下壁１０ｂと、それらの間に配置された中間壁１０ｃとを有している。そして、ショーケース装置１は、大まかには、２つの機能の区画Ａ１およびＡ２を備えている。上壁１０ａと中間壁１０ｃとの間、すなわち、ショーケース装置１（ハウジング１０）の上半分が、陳列室（ハウジング１０の室）１３の区画Ａ１であり、調理された食品を保温した状態で陳列できる。中間壁１０ｃより下（中間壁１０ｃと下壁１０ｂとの間）、すなわち、ショーケース装置１（ハウジング１０）の下半分が、陳列室１３に温風を供給するための温風供給ユニット３０と、保冷庫５０と、冷却ユニット６０の区画Ａ２である。ハウジング１０の前方下側および両側方下側には、それぞれ、不透明な壁（化粧板）１４ａ、１４ｂおよび１４ｃが設けられており、温風供給ユニット３０、保冷庫５０および冷却ユニット６０は、前方および側方からは目隠しされている。
【００２６】
さらに、ハウジング１０は、陳列室１３を構成する位置に、透光性の天蓋１５と、透光性の第１の前壁（窓）１６と、陳列室１３を開閉するための透光性のドア１７と、透光性の左右の第１の側壁１８ａおよび１８ｂとを有している。天蓋１５は、ハウジング１０の上壁１０ａの一部を構成し、第１の前壁１６はハウジング１０の上部前壁を構成し、第１の側壁１８ａおよび１８ｂはハウジングの上部側壁を構成している。天蓋１５、第１の前壁１６、第１の側壁１８ａおよび１８ｂは、２重の透明なアクリル樹脂などにより構成されている。ドア１７は、たとえば、スイングタイプ（開き戸、観音開きタイプ）であり、左右に配置された２枚の戸１７ａおよび１７ｂを備えている。これらの戸１７ａおよび１７ｂには、それぞれの外面に取手１９が取り付けられている。
【００２７】
透明な天蓋１５と、透明な第１の前壁１６と、透明なドア１７と、透明な第１の側壁１８ａおよび１８ｂと、隔壁１０ｃとは、陳列室１３の外側を構成するとともに、陳列室１３の外側の部屋、すなわち、第１室１１を構成し、閉じられた第１の空間Ｓ１を形成している。この第１室１１の空間Ｓ１には、第１の陳列棚（食品トレイ）２１が設置されている。第１室１１の内部の下方に第２室１２が構成されており、第１の陳列棚２１は、第２室１２の上壁を兼ねている。
【００２８】
陳列室１３の内側の部屋である第２室１２は、第１の前壁１６と対峙する位置に設けられた透光性（たとえば透明）の第２の前壁２６と、第１の側壁１８ａおよび１８ｂと対峙する位置に設けられた透光性（たとえば透明）の第２の側壁２８ａおよび２８ｂとを備えている。第２室１２は、第１の陳列棚２１と、第２の前壁２６と、第２の側壁２８ａおよび２８ｂと、隔壁１０ｃとにより囲まれ、ドア１７により第１室１１とともに開閉されるようになっている。この第２室１２の空間Ｓ２には、第２の陳列棚（食品トレイ）２２および第３の陳列棚（食品トレイ）２３が設置されている。第３の陳列棚２３は、第２室１２の底壁を兼ねている。第２室１２の開放している側の端には、ドア１７が閉じたときに、ドア１７と接するシール部材（パッキン）２９が設けられている。
【００２９】
この本例のショーケース装置１は、第１室１１は、加熱調理された商品のうち、たとえばアメリカンドッグなどの「パリッ」とした食感が好まれる商品（高温低湿で保存することが望ましい商品）を陳列するのに適している。第１室１１（空間Ｓ１）は、温風供給ユニット３０から供給される低湿度の温風（加温された相対湿度の低い空気）により、湿度２０％〜３０％程度、温度６５℃〜７０℃程度に調整されている。第２室１２は、加熱調理された商品のうち、たとえば焼き鳥などの「しっとり」した食感が好まれる商品（高温高湿で保存することが望ましい商品）を陳列するのに適している。第２室１２（空間Ｓ２）は、陳列される商品から放出される水分に依存して、比較的多湿な雰囲気となる。第２室１２と第１室１１との間に、湿度センサに連動して開閉するダンパを設けてもよい。
【００３０】
隔壁１０ｃには、第１の前壁１６と第２の前壁２６との間の空隙Ｓ３に対応する位置と、第１の側壁１８ａと第２の側壁２８ａとの間の空隙Ｓ４に対応する位置と、第１の側壁１８ｂと第２の側壁２８ｂとの間の空隙Ｓ５に対応する位置との３箇所に、開口３１、３２および３３が設けられている。
【００３１】
温風供給ユニット３０は、隔壁１０ｃを挟んで、陳列室１３の前側下方に配置されている。この温風供給ユニット３０は、温風を収納室に供給するためのファン３４と、そのファン３４の出口側に配置されたヒータ３５とを備えている。ファン３４は、第１の側壁１８ａと第２の側壁２８ａとの間の空隙Ｓ４に対応する開口３２、および、第１の側壁１８ｂと第２の側壁２８ｂとの間の空隙Ｓ５に対応する開口３３から吸気し、ヒータ３５側に向けて送風するように配置されている。ヒータ３５は、ファン３４よりもハウジング１０の後側に配置されている。
【００３２】
このため、図１ないし図３に示すように、ファン３４およびヒータ３５により所望の温度にまで温められた温風は、第２室１２の底壁１０ｃの下側に接するように底壁に沿って前方に流れ、第１の前壁１６と第２の前壁２６との間Ｓ３に対応する開口３１から第１室１１内に吹き出される。第１の空間Ｓ１の内部の空気は、開口３２および３３をそれぞれ吸い込み口、開口３１を吹き出し口として循環する。すなわち、空隙Ｓ３が温風を供給するための経路の一部となり、空隙Ｓ４およびＳ５が、温風を吸い込むための経路の一部となる。また、ファン３４およびヒータ３５により所望の温度にまで温められた温風は、第２の空間Ｓ２を間接的に加熱する。
【００３３】
図４は、図１のショーケース装置を後側から見た斜視図であって、その一部を切り欠いて示している。ハウジング１０の上部である上壁１０ａの内部には、後方から見て右側の側壁１８ａに寄せて、スペース２００が設けられている。このスペース２００に、電装部品２０１、本例では、制御基板２０２およびコントロールパネル２０３が一体となっている電装部品が収納されている。コントロールパネル２０３の前面２０３ａは、操作部および表示面を含んでいる。電装部品２０１は、コントロールパネル２０３の前面（表示面を兼ねる操作部）２０３ａが後方を向くように、収納スペース２００に収納されている。
【００３４】
ハウジング１０の上部には、さらに、左右の側壁１８ｂおよび１８ａの近傍に、後方を向くように、開口８１ａおよび８１ｂが設けられている。これらの開口８１ａおよび８１ｂは、換気あるいは冷却用の空気（外気）の吸込み口である。後方から見て右側の開口（吸込み口）８１ａは、ハウジング１０の上部後方であって、コントロールパネル２０３の前面２０３ａよりも若干左側の側壁１８ｂ側に形成されている。この開口８１ａは、電装部品２０１の収納スペース２００と連通している。
【００３５】
２重構造の天蓋１５の左右の縁には、フレーム１０２ａおよび１０２ｂに沿って、前後に延びるダクト領域Ｔ３およびＴ４が形成されている。このダクト領域Ｔ３およびＴ４は、溝状の部分（領域）、天蓋１５の左右の縁に設けられた溝状の部分を前後に延びたカバーにより覆った構造である。ダクト領域Ｔ３は、収納スペース２００および開口８１ａを介して、外部と連通している。また、ダクト領域Ｔ４は、開口８１ｂを介して、外部と連通している。
【００３６】
図５に、図１のショーケース装置１を分解斜視図により示している。図６に、図１のショーケース装置１を、カバーおよび化粧板を外した状態で示している。図７に、ショーケース装置１の上壁１０の天蓋１５の部分を図３中のVII−VII線に沿って切断した断面図を示している。図８に、ショーケース装置１の前壁１６を図３中のVIII−VIII線に沿って切断した断面図を示している。
【００３７】
第１の前壁１６は、前方からハウジング１０の室１３内に陳列された商品を見るための窓としての機能を持つ。この第１の前壁（窓）１６は上述したように２枚のアクリル板が隙間を開けて重ねられた２重構造である。この第１の前壁１６の上縁は、透明な１枚のアクリル板からなる１重構造の隔壁９１を介して、前壁１６と同様の２重構造になっている天蓋１５と接続されている。この１重構造の隔壁９１により、窓１６および天蓋１５に対して溝状の凹みが形成され、さらに、カバー７５により覆われることにより左右に延びたダクト領域Ｔ０が構成されている。このダクト領域Ｔ０は、天蓋１５の左右に設けられた前後に延びるダクト領域Ｔ３およびＴ４に繋がっている。
【００３８】
そして、このダクト領域Ｔ０に、発光体としての直管状の蛍光灯７１が収納されている。このため、蛍光灯７１は、窓１６の上縁に沿って設けられた透光性の隔壁９１を挟んで、陳列室１３の室内Ｓ１およびＳ２と対向（対峙）するようにアレンジされ、陳列室１３の内部を照明する。カバー７５の内面（裏面）は白色に塗装され、あるいは金属面が現れており、リフレクタを兼ねている。カバー７５は、ねじ７９によりハウジング１０の両側のフレーム１０１ａおよび１０１ｂに取り付けられる。
【００３９】
窓１６の左右の縁は、上記と同様に、透明な１枚のアクリル板からなる１重構造の隔壁９２ａおよび９２ｂにより、２重構造になっている左右のフレーム１０１ａおよび１０１ｂにそれぞれ接続されている（図８参照）。これらの隔壁９２ａおよび９２ｂにより構成される溝状の部分は、カバー７６ａおよび７６ｂによりそれぞれ覆われており、２重構造の窓１６に対して上下に延びた、ダクト領域Ｔ１およびＴ２が形成されている。これらのダクト領域Ｔ１およびＴ２は、ダクト領域Ｔ０を介して、ダクト領域Ｔ３およびＴ４に接続されている。
【００４０】
さらに、これらダクト領域Ｔ１およびＴ２に、発光体としての直管状の蛍光灯７２ａおよび７２ｂがそれぞれ収納されている。このため、これらの蛍光灯７２ａおよび７２ｂは、窓１６の左右の縁に沿って設けられた透明な隔壁９２ａおよび９２ｂを挟んで、陳列室１３の室内Ｓ１およびＳ２と対向し、陳列室１３の内部を照明する。カバー７６ａおよび７６ｂは、不透明な遮光性で内面はリフレクタを兼ねている。これらのカバー７６ａおよび７６ｂは、ダクト領域Ｔ３およびＴ４のカバーもそれぞれ兼ねており、天蓋１５の左右の縁のフレーム１０２ａおよび１０２ｂに沿って天蓋１５の左右の縁を前後方向に覆うように略Ｌ字状に形成されている。
【００４１】
したがって、カバー７６ａおよび７６ｂを、それぞれ、フレーム１０２ａおよび１０１ａ、およびフレーム１０２ｂおよび１０１ｂに沿って取り付けることにより、フレーム１０２ａおよび１０１ａと、フレーム１０２ｂおよび１０１ｂとにそれぞれ沿って、空気が流れるダクト（排気経路）Ｔ１およびＴ３、Ｔ２およびＴ４がそれぞれ構成される。したがって、ダクト領域Ｔ０を含め、ダクト領域Ｔ１、Ｔ２、Ｔ３およびＴ４は連通した領域となり、空気が流れる。カバー７６ａおよび７６ｂは、フレーム１０１ａおよび１０２ａと、フレーム１０１ｂおよび１０２ｂに爪などにより係合するように取り付けられ、最終的には、左右に延びる溝状の領域Ｔ０を覆うカバー７５を介してフレーム１０１ａおよび１０１ｂに対してねじ止めされている。本例では、前壁１６と蛍光灯７１、７２ａおよび７２ｂが収納されている部分とが、実質的に面一となるように形成されている。
【００４２】
カバー７６ａと隔壁９２ａとにより囲まれたダクト領域Ｔ１は、天蓋１５の縁のダクト領域Ｔ３に繋がり、ダクト領域Ｔ３は、電装部品２０１の収納スペース２００に連通し、後方を向いた吸込み口８１ａに繋がっている。また、カバー７６ｂと隔壁９２ｂとにより囲まれた領域Ｔ２は、天蓋１５の縁のダクト領域Ｔ４につながり、さらに、ダクト領域Ｔ４は、吸込み口８１ｂに繋がっている。これらの領域Ｔ１〜Ｔ４により、透明な壁１５および１６の側縁に沿って延びたフレームに沿って、吸込み口８１ａおよび８１ｂから吸込まれた空気を、陳列室１３の外を通ってハウジング１０の下方に導く排気ダクト（排熱経路）８０が形成される。この排気経路８０は、電装部品２０１と蛍光灯７１、７２ａおよび７２ｂとにより生じる熱を、上から下に逃がすために、さらに、窓１６の下縁に沿って、左右に延びたダクト領域（空気経路）Ｔ５と、縦方向に延びた排気ダクトＴ６を介して、以下に示す排熱用の経路６９の放熱ファン６８の吸込み側に連通している。
【００４３】
図９に、ショーケース装置１の図３中のIX−IX線に沿って切断した断面図を示している。ショーケース装置１の隔壁１０ｃの下側は、すなわち、ハウジング１０の下側は、後方のカウンター内の店員の側からアクセスできる保冷庫５０となっている。この保冷庫５０は、冷蔵庫５２ａと冷凍庫５２ｂとに分かれており、それぞれに、後方からアクセスできる蓋５１ａおよび５１ｂが設けられている。
【００４４】
冷却ユニット６０は、冷媒を循環させるコンプレッサ６４と、コンデンサ６５と、エバポレータ６６と、循環ファン６７と、放熱ファン６８とを備えている。ハウジング１０の下方には、コンデンサ６５からの熱を排出するための排気用の経路６９が形成されている。放熱ファン６８を稼動させると、後方の排気口６９ａから取り込まれた空気は、図９に実線矢印で示したように、冷凍庫５２ｂの横を通り、コンデンサ６５を通過し、床に面した下壁１０ｂを介して、外部に排出される。
【００４５】
図６に示すように、窓１６の上下および左右の縁に沿って設けられたダクト領域Ｔ０〜Ｔ２およびＴ５を含む排熱経路８０は、縦方向に延びた空気経路Ｔ６を介して排熱用の経路６９の放熱ファン６８の吸込み側に接続している。したがって、排熱経路８０の内部は放熱ファン６８の吸込み圧により外気に対して負圧になり、陳列室１３の上部に設けられた吸込口８１ａおよび８１ｂから空気（外気）が排熱経路８０に吸込まれる。このため、排熱経路８０を空気が流れ、収納スペース２００に収納された電装部品２０１と、領域Ｔ０、Ｔ１およびＴ２に収納された蛍光灯７１、７２ａおよび７２ｂとは、冷却（空冷）される。
【００４６】
詳しくは、吸込み口８１ａから吸い込まれた空気は、収納スペース２００内を流通しながら、電装部品２０１を冷却し、ダクト領域Ｔ３に流れて、蛍光灯７１の一端に達する。吸込口８１ｂから吸い込まれた空気は、ダクト領域Ｔ４を流れて蛍光灯７１の他端に達する。ダクト領域Ｔ３およびＴ４を流れた空気は、蛍光灯７１の最も発熱する両端を冷やす。さらに、空気は、ダクト領域Ｔ１およびＴ２を上側から下側に、蛍光灯７２ａおよび７２ｂの略全域を冷却しながら流れる。ダクト領域Ｔ１を流れた空気は、ダクト領域（排気経路）Ｔ５を介して、ダクト領域Ｔ２を流れた空気と合流し、縦方向に伸びたダクト領域（排気経路）Ｔ６を介してファン６８に吸い込まれる。これにより、電装部品２０１は、冷却され、その性能が維持される。また、蛍光灯は、一般に、その両端あるいは一端に設けられている点灯装置近傍が発熱するため、このような空気の流れにより、蛍光灯７２ａおよび７２ｂだけでなく、蛍光灯７１も良好に冷却される。
【００４７】
以上のように、このショーケース装置１によれば、ハウジング１０の上部に、表示面を兼ねる操作部２０３ａが後方を向くように電装部品２０１が収納されている。このため、電装部品２０１の操作部（表示面）２０３ａが見えやすく、操作も容易である。また、このショーケース装置１によれば、後方を向いた吸込み口８１ａと、この吸込み口８１ａから吸込まれた空気を電装部品２０１の収納スペース２００を介してハウジング１０の下方に導く排気ダクト８０とを有している。このため、発熱体である電装部品２０１を空冷し、その性能を良好に維持することができる。
【００４８】
また、このショーケース装置１によれば、吸込み口８１ａおよび８１ｂが後側に設けられているため、顧客の目にとまりにくい。したがって、ショーケースとしての見栄えがよい。さらに、このショーケース装置１によれば、排熱は、ハウジングの下側に導かれるため、顧客や店員に向かって温風が吹き出すこともない。
【００４９】
さらに、透光性の壁１５および１６の側縁に沿って延びたフレーム１０２ａ、１０２ｂ、１０１ａおよび１０１ｂに沿って、排気ダクト８０が設けられている。このため、排気ダクト８０は、顧客がハウジング１０の室１３内に収納された商品を見る際の邪魔になりにくい。また、外見からはダクト８０が設けられていることが判らず、あたかも、透光性の壁１５および１６に額が設けられているだけのように見える。したがって、デザイン性が良好である。
【００５０】
また、このショーケース装置１によれば、排気ダクト８０のハウジング１０の室１３内に向いた隔壁９１、９２ａおよび９２ｂは透光性であり、隔壁９１、９２ａおよび９２ｂと対向するように、ダクト８０内に蛍光灯７１、７２ａおよび７２ｂが収納されている。したがって、蛍光灯７１、７２ａおよび７２ｂからの照明光は、前方、すなわち、顧客の方向から透明な隔壁９１、９２ａおよび９２ｂを介して、ハウジング１０の室１３内を良好に照明する。しかも、この際、照明光が、窓１５や窓１６により反射されたりすることはない。このため、前方の窓（透光性の壁）１６からハウジング１０の内部（陳列室１３内）が見やすい。
【００５１】
さらに、排気ダクト８０の内、蛍光灯７１、７２ａおよび７２ｂが収納されている部分は、遮光性のカバー７５、７６ａおよび７６ｂにより覆われている。したがって、遮光性のカバー７５、７６ａおよび７６ｂを取り外すことにより、ハウジング１０の外側から蛍光灯７１、７２ａおよび７２ｂにアクセスできる。したがって、蛍光灯７１、７２ａおよび７２ｂのメンテナンスや交換が容易である。しかも、蛍光灯７１、７２ａおよび７２ｂは、遮光性のカバー７５、７６ａおよび７６ｂにより覆われているため、蛍光灯７１、７２ａおよび７２ｂからの照明光は、前方の窓１６から陳列室１３の内部を見る顧客の視野に入りにくい。
【００５２】
しかも、蛍光灯７１、７２ａおよび７２ｂは、隔壁９１、９２ａおよび９２ｂを介して陳列室１３の外側に配置されている。このため、蛍光灯７１、７２ａおよび７２ｂは、陳列室１３の内部の高温な雰囲気に晒されること無く、また、陳列室１３の内部が高温多湿の雰囲気になっても影響されない。したがって、通常の室内照明に採用される蛍光灯を高温多湿の陳列室１３の照明として用いることができる。また、隔壁９１、９２ａおよび９２ｂは溝状であるため、ハウジング１０の内側に蛍光灯７１、７２ａおよび７２ｂの配置場所を確保することができる。
【００５３】
このショーケース装置１は、ハウジング１０の室１３内よりも下側に、保冷庫５０と、この保冷庫５０内を冷却するための冷却ユニット６０とを有しており、排気ダクト８０が、冷却ユニット６０に含まれるファン６８の吸込み側に連通している。したがって、排気ダクト８０内の排熱を、冷却ユニット６０に含まれるファン６８により、強制的に外部に排出することができる。
【００５４】
なお、保冷庫５０および冷却ユニット６０はオプションであり、本発明は、保冷庫５０および冷却ユニット６０を省いたコンビニエンスストアなどのカウンターに設置するタイプのショーケース装置にも適用できる。この場合、排気ダクト８０は、空調ユニット３０に含まれるファン３４の吸込み側に連通させるとよい。このようにしても、排気ダクト８０内の排熱を、空調ユニット３０に含まれるファン３４により、強制的に外部に排出することができる。
【００５５】
また、本例では、排気ダクトを、天井の縁の一部に沿って延びたフレームと、前壁の縁の一部に沿って延びたフレームとに沿って設けているが、排気ダクトは、側壁や後壁の縁の少なくとも一部に沿って延びたフレームに沿って設けてもよい。さらに、本例では、排気ダクトを、透光性の壁の縁の少なくとも一部に沿って延びたフレームに沿って形成しているが、排気ダクトは、フレーム内に設けてもよい。
【図面の簡単な説明】
【００５６】
【図１】本発明の一実施形態にかかるショーケース装置を前側から見た斜視図。
【図２】図１のショーケース装置を後側から見た斜視図。
【図３】図１中のIII−III線に沿って切断して示す縦断面図。
【図４】図１のショーケース装置を後側から見た斜視図であって、電装部品の近傍を一部切り欠いて示す斜視図。
【図５】図１のショーケース装置を示す分解斜視図。
【図６】図１のショーケース装置をカバーおよび化粧板を外した状態で示す図。
【図７】図３中のVII−VII線に沿って切断して示す断面図。
【図８】図３中のVIII−VIII線に沿って切断して示す断面図。
【図９】図３中のIX−IX線に沿って切断して示す断面図。
【符号の説明】
【００５７】
１    ショーケース装置、  １０    ハウジング
１３    収納室（ハウジングの室）、  １５    天井（透光性の壁）
１６    前壁（透光性の壁）、  ３０    温風供給ユニット（空調ユニット）
５０  保冷庫、  ６０    冷却ユニット
６８    ファン、  ７１、７２ａ、７２ｂ    蛍光灯（発光体）
８０    排熱ダクト、  ８１ａ、８１ｂ    吸込み口
９１、９２ａ、９２ｂ    透光性の隔壁
１０１ａ、１０１ｂ、１０２ａ、１０２ｂ    フレーム
２００    収納スペース、  ２０１    電装部品
２０３ａ    操作部（表示面）
【図１】
2008113870.tif 000003
【図２】
2008113870.tif 000004
【図３】
2008113870.tif 000005
【図４】
2008113870.tif 000006
【図５】
2008113870.tif 000007
【図６】
2008113870.tif 000008
【図７】
2008113870.tif 000009
【図８】
2008113870.tif 000010
【図９】
2008113870.tif 000011